(57)【要約】【課題】据付場所の形状に合わせて吹出方向を任意に選択することができる熱源ユニットを提供する。【解決手段】熱源ユニット１０２では、縦長の略正四角柱であるケーシング１１０の内部には、圧縮機２１、膨張弁２３及び空気熱交換器２４が、鉛直方向に積まれるように収納されている。ケーシング１１０は、排気用の吹出口１１３ａが形成されている第１側面１１３と、第１側面１１３と所定距離を隔てて向かい合う第２側面１１４と、第１側面１１３と隣接し吸気用の吸込口１１１ａが形成された正面１１１とを有している。ケーシング１１０の内部では、吹出口１１３ａ、プロペラファン２９、空気熱交換器２４、第２側面１１４という順で並んでいる。空気熱交換器２４と第２側面１１４との間には、吸込口１１１ａから吸い込まれる空気を空気熱交換器２４に導く外気取り入れ空間１１０ａが設けられている。【選択図】図６
2009198121.tif 000002
【特許請求の範囲】
【請求項１】
蒸気圧縮式冷凍回路の一部である熱交換器（２４，３２４）と、
平面形状が四角形であって内部に少なくとも前記熱交換器（２４，３２４）を収納するケーシング（１１０）と、
を備え、
前記ケーシング（１１０）は、
幅寸法と奥行き寸法とが略同じ寸法であり、
排気用の吹き出し開口（１１３ａ）が形成されている第１側面（１１３）を有している、
熱源ユニット（１０２，３０２，４０２）。
【請求項２】
前記ケーシング（１１０）に収納され前記熱交換器（２４，３２４）に送風するプロペラファン（２９）をさらに備え、
前記ケーシング（１１０）は、
前記第１側面（１１３）と所定距離を隔てて向かい合う第２側面（１１７）と、
吸気用の吸い込み開口（１１１ａ）が形成され前記第１側面（１１３）と隣接する正面（１１１）と、
をさらに有し、
前記プロペラファン（２９）および前記熱交換器（２４，３２４）は、前記ケーシング（１１０）内に、前記吹き出し開口（１１３ａ）、前記プロペラファン（２９）、前記熱交換器（２４，３２４）、前記第２側面（１１７）という順で並んで収納され、
前記熱交換器（２４，３２４）と前記第２側面（１１７）との間には、前記吸い込み開口（１１１ａ）から吸い込まれる空気を前記熱交換器（２４，３２４）に導くための外気取り入れ空間（１１０ａ）が設けられている、
請求項１に記載の熱源ユニット（１０２，３０２，４０２）。
【請求項３】
前記蒸気圧縮式冷凍回路の一部である圧縮機（２１，３２１）及び減圧手段（２３，３２３）をさらに備え、
前記圧縮機（２１，３２１）及び前記減圧手段（２３，３２３）が、前記ケーシング（１１０）内で、前記熱交換器（２４，３２４）の下方に配置されている、
請求項１又は請求項２に記載の熱源ユニット（１０２，３０２，４０２）。
【請求項４】
蒸気圧縮式冷凍回路の一部であって冷媒と水との間で熱交換を行わせる水熱交換器（２２）をさらに備え、
前記水熱交換器（２２）が、前記ケーシング（１１０）内で、前記熱交換器（２４）の下方に配置されている、
請求項３に記載の熱源ユニット（１０２，４０２）。
【請求項５】
請求項４に記載の熱源ユニット（１０２，４０２）と、
前記熱源ユニット（１０２）で加熱された水を貯えるタンク（３１）を有するタンクユニット（１０３）と、
を備えた、
給湯機（１０１）。
【請求項６】
前記熱源ユニット（１０２，４０２）と前記タンクユニット（１０３）とが、分離されて配置される、
請求項５に記載の給湯機（１０１）。
【請求項７】
前記タンクユニット（１０３）は、前記タンク（３１）を収納する第２ケーシング（２１０）をさらに有し、
前記ケーシング（１１０）と第２ケーシング（２１０）とを連結する連結部材（１０６，１０７，２０７）がさらに備えられた、
請求項５に記載の給湯機（１０１）。
【請求項８】
前記連結部材（１０６）は、
前記ケーシング（１１０）の天面と前記第２ケーシング（２１０）の天面とに締結される水平部と、
前記水平部とほぼ直交しボルトが通る穴が形成されている垂直部と、
を有する、
請求項７に記載の給湯機（１０１）。
【請求項９】
請求項３に記載の熱源ユニット（３０２）を室外機として備えた、
空気調和機（３０１）。
【発明の詳細な説明】
【技術分野】
【０００１】
本発明は、圧縮機及び熱交換器を備えた熱源ユニットと、その応用に関する。
【背景技術】
【０００２】
給湯機の加熱手段として使用されるヒートポンプユニット及び暖房運転時の空気調和機の室外機は、外気から熱エネルギーを汲み上げる熱源ユニットとして、室外に設置される。そして、熱源ユニット（ヒートポンプユニット又は室外機）は、有効に熱エネルギーを汲み上げるために、外気の吸入および排出を阻害することがないように配慮されている（例えば、特許文献１参照）。
【０００３】
特許文献１に記載のヒートポンプユニットにおいて、４側面のうち隣り合う２面では、面積の小さい側面に外気の吸入部が、面積の大きい側面に排出部が形成されている。そして、吸熱用の熱交換器が、吸入部に対向するように配置されている。外気は、遠心ファンによって、吸入部から吸熱用の熱交換器を通って排出部へ向う、つまり略直角状に流れる。
【０００４】
この構成により、４側面のうち、残りの隣り合う２面は、外気の吸入および排出に関係ない側面となるので、その２面を住宅の壁に近づけて設置することによって、デッドスペースを無くすことができる。
【０００５】
しかしながら、熱源ユニットの設置場所には、一般に、家屋の軒下などの細長い空間が利用される。このとき、空気の吹出方向の空間を確保するために、吹出口を設置空間の長手方向に向けて設置するが、設置空間の幅が熱源ユニットの奥行寸法よりも小さいために、設置できないこともある。
【特許文献１】特開２００６−１７７５６６号公報
【発明の開示】
【発明が解決しようとする課題】
【０００６】
本発明の課題は、据付場所の形状に合わせて吹出方向を任意に選択することができる熱源ユニットを提供することにある。
【課題を解決するための手段】
【０００７】
第１発明に係る熱源ユニットは、蒸気圧縮式冷凍回路の一部である熱交換器と、平面形状が四角形であって内部に少なくともその熱交換器を収納するケーシングとを備えている。ケーシングは、幅寸法と奥行き寸法とが略同じ寸法であり、排気用の吹き出し開口が形成された第１側面を有している。
【０００８】
この熱源ユニットでは、設置空間の幅寸法が、第１側面の幅寸法より少し大きい程度の細長い空間の場合、吹き出し開口を設置空間の長手方向に向けて据付けることによって、吹き出し開口の前面に、排気を妨げない空間が確保される。その結果、熱交換器の熱交換量の低下が防止される。
【０００９】
第２発明に係る熱源ユニットは、第１発明に係る熱源ユニットであって、ケーシングに収納され熱交換器に送風するプロペラファンをさらに備えている。ケーシングは、第１側面と所定距離を隔てて向かい合う第２側面と、吸気用の吸い込み開口が形成され第１側面と隣接する正面とをさらに有している。プロペラファンおよび熱交換器は、ケーシング内に、吹き出し開口、プロペラファン、熱交換器、第２側面という順で並んで収納されている。熱交換器と第２側面との間には、吸い込み開口から吸い込まれる空気を熱交換器に導くための外気取り入れ空間が設けられている。
【００１０】
この熱源ユニットでは、設置空間の幅寸法が、第１側面の幅寸法より少し大きい程度の狭い空間であっても、プロペラファンの上流には外気取り入れ空間が確保され、吹き出し開口の前面には排気を妨げない空間が確保されるので、静圧不足が解消される。
【００１１】
第３発明に係る熱源ユニットは、第１発明又は第２発明に係る熱源ユニットであって、蒸気圧縮式冷凍回路の一部である圧縮機及び減圧手段をさらに備えている。圧縮機及び減圧手段が、ケーシング内で、熱交換器の下方に配置されている。
【００１２】
この熱源ユニットでは、圧縮機、減圧手段及び熱交換器が、鉛直方向に積まれるようにケーシング内に収納されるので、ケーシングの形状は縦長の略四角柱となる。その結果、ケーシングの幅寸法より少し大きい程度の狭い設置空間であっても、熱源ユニットの高さ寸法を許容する上部空間さえあれば、熱源ユニットを据付けることができ、省スペースである。
【００１３】
第４発明に係る熱源ユニットは、第３発明に係る熱源ユニットであって、蒸気圧縮式冷凍回路の一部を成し冷媒と水との間で熱交換を行わせる水熱交換器をさらに備えている。水熱交換器が、ケーシング内で、熱交換器の下方に配置されている。
【００１４】
この熱源ユニットでは、圧縮機、減圧手段、水熱交換器及び熱交換器が、鉛直方向に積まれるようにケーシング内に収納されるので、ケーシングの形状は縦長の略四角柱となる。その結果、ケーシングの幅寸法より少し大きい程度の狭い設置空間であっても、熱源ユニットの高さ寸法を許容する上部空間さえあれば、熱源ユニットを据付けることができ、省スペースである。また、水熱交換器で水を加熱することができるので、給湯機の加熱手段として使用することができる。
【００１５】
第５発明に係る給湯機は、第４発明に係る熱源ユニットと、その熱源ユニットで加熱された水を貯えるタンクとを備えている。
【００１６】
この給湯機では、作業者が、熱源ユニットの据付方向を設置空間の形状に合うように設定することができるので、狭い空間であっても、空気の吹き出しを妨げない方向が選択され、熱交換器の熱交換量の低下が防止される。
【００１７】
第６発明に係る給湯機は、第５発明に係る給湯機であって、熱源ユニットとタンクユニットとが、分離されて配置される。
【００１８】
この給湯機では、作業者が、熱源ユニット及びタンクユニットそれぞれの据付けに適した場所を選択することができるので、据付けの自由度が増す。
【００１９】
第７発明に係る給湯機は、第５発明に係る給湯機であって、タンクユニットが、タンクを収納する第２ケーシングをさらに有している。そして、給湯機は、ケーシングと第２ケーシングとを連結する連結部材をさらに備えている。
【００２０】
この給湯機では、連結部材がケーシングと第２ケーシングとを固定するので、据付時に設定されたケーシングと第２ケーシングとの隙間が、使用時にほとんど拡大せず、給湯機の安定した姿勢が維持される。
【００２１】
第８発明に係る給湯機は、第７発明に係る給湯機であって、連結部材が、水平部と垂直部とを有している。水平部は、ケーシングの天面と第２ケーシングの天面とに締結される。垂直部は、水平部とほぼ直交しボルトが通る穴が形成されている。
【００２２】
この給湯機では、連結部材の垂直部に設けられた穴を使用して、ケーシング及び第２ケーシングが家屋外壁にボルトで固定されるので、転倒が防止される。
【００２３】
第９発明に係る空気調和機は、第３発明に係る熱源ユニットを室外機として備えている。
【００２４】
この室外機では、設置空間の幅寸法が、室外機側面の幅寸法より少し大きい程度の細長い空間の場合、吹き出し開口を設置空間の長手方向に向けて据付けることによって、空気の吹き出しを妨げない空間が確保される。その結果、熱交換器の熱交換量の低下が防止される。
【発明の効果】
【００２５】
第１発明に係る熱源ユニットでは、設置空間の幅寸法が、第１側面の幅寸法より少し大きい程度の細長い空間の場合、吹き出し開口を設置空間の長手方向に向けて据付けることによって、吹き出し開口の前面に、排気を妨げない空間が確保される。その結果、熱交換器の熱交換量の低下が防止される。
【００２６】
第２発明に係る熱源ユニットでは、設置空間の幅寸法が、第１側面の幅寸法より少し大きい程度の狭い空間であっても、プロペラファンの上流には外気取り入れ空間が確保され、吹き出し開口の前面には排気を妨げない空間が確保されるので、静圧不足が解消される。
【００２７】
第３発明に係る熱源ユニットでは、圧縮機、減圧手段及び熱交換器が、鉛直方向に積まれるようにケーシング内に収納されるので、ケーシングの形状は縦長の略四角柱となる。その結果、ケーシングの幅寸法より少し大きい程度の狭い設置空間であっても、熱源ユニットの高さ寸法を許容する上部空間さえあれば、熱源ユニットを据付けることができ、省スペースである。
【００２８】
第４発明に係る熱源ユニットでは、圧縮機、減圧手段、水熱交換器及び熱交換器が、鉛直方向に積まれるようにケーシング内に収納されるので、ケーシングの形状は縦長の略四角柱となる。その結果、第１側面の幅寸法より少し大きい程度の狭い設置空間であっても、熱源ユニットの高さ寸法を許容する上部空間さえあれば、熱源ユニットを据付けることができ、省スペースである。また、水熱交換器で水を加熱することができるので、給湯機の加熱手段として使用することができる。
【００２９】
第５発明に係る給湯機では、作業者が、熱源ユニットの据付方向を設置空間の形状に合うように設定することができるので、狭い空間であっても、空気の吹き出しを妨げない方向が選択され、熱交換器の熱交換量の低下が防止される。
【００３０】
第６発明に係る給湯機では、作業者が、熱源ユニット及びタンクユニットそれぞれの据付けに適した場所を選択することができるので、据付けの自由度が増す。
【００３１】
第７発明に係る給湯機では、連結部材がケーシングと第２ケーシングとを固定するので、据付時に設定されたケーシングと第２ケーシングとの隙間が、使用時にほとんど拡大せず、給湯機の安定した姿勢が維持される。
【００３２】
第８発明に係る給湯機では、連結部材の垂直部に設けられた穴を使用して、ケーシング及び第２ケーシングが家屋外壁にボルトで固定されるので、転倒が防止される。
【００３３】
第９発明に係る空気調和機では、室外機の設置空間の幅寸法が、第１側面の幅寸法より少し大きい程度の細長い空間の場合、吹き出し開口を設置空間の長手方向に向けて据付けることによって、空気の吹き出しを妨げない空間が確保される。その結果、熱交換器の熱交換量の低下が防止される。
【発明を実施するための最良の形態】
【００３４】
以下図面を参照しながら、本発明の実施形態について説明する。なお、以下の実施形態は、本発明の具体例であって、本発明の技術的範囲を限定するものではない。
【００３５】
＜熱源ユニット＞
図１は、本発明の一実施形態に係る熱源ユニットの斜視図であり、図２は、図１のＢ方向から視た熱源ユニットの斜視図である。図１において、熱源ユニット１０２は、平面形状が四角形のケーシング１１０で覆われている。ケーシング１１０の正面１１１には、複数の貫通孔からなる吸込口１１１ａが形成されている。
【００３６】
正面１１１と隣接する第１側面１１３には、上下に並ぶ２つの吹出口１１３ａが形成されている。吹出口１１３ａには、人の手などが入らないように、安全用網１１３ｂで覆われている。ケーシング１１０の底面から鉛直下方に向って脚１１８が突出しており、設置面とケーシング１１０の底面とが直接接触することを防止している。
【００３７】
図２において、ケーシング１１０の第２側面１１７は、背面１１２に隣接し、図１で示した第１側面１１３と対向しており、開口１１７ａが設けられている。ケーシング１１０の内部には、開口１１７ａに沿うように空気熱交換器２４が配置されており、この空気熱交換器２４が、蒸気圧縮式冷凍回路の一部を成している。開口１１７ａの縦寸法は、空気熱交換器２４の縦寸法に相当しており、外気取り入れ空間１１０ａを形成するために、空気熱交換器２４と開口１１７ａとは所定寸法Ｄだけ離れている。
【００３８】
第２側面１１７の下端部には、板金部材１０７が取り付けられており、熱源ユニット１０２が、他のユニットと連結されるときに、この板金部材１０７が使用される。
【００３９】
図１、図２で示すように、ケーシング１１０は、正面１１１、背面１１２、第１側面１１３及び第２側面１１７の各幅寸法がほぼ同一になるように設定されているので、正四角柱に近い形状である。したがって、サービスパーソンが熱源ユニット１０２を設置する際に、空気の吸い込みに都合のよい方向へ吸込口１１１ａが向くように、或は空気の吹き出しに都合のよい方向へ吹出口１１３ａが向くように設置することができる。
【００４０】
＜給湯機への応用＞
（給湯機の構成）
図３は本実施形態に係る熱源ユニットを備えた給湯機の概略構成図である。図３において、給湯機１０１は、熱源ユニット１０２とタンクユニット１０３とによって構成されている。
【００４１】
熱源ユニット１０２は、マフラー２１ａ、圧縮機２１、水熱交換器２２内の冷媒管２２ａ、減圧手段としての膨張弁２３、及び空気熱交換器２４が、冷媒配管２５によって環状に接続された蒸気圧縮式の冷凍回路２０を有する。
【００４２】
また、冷凍回路２０には、水熱交換器２２から出る高圧高温の冷媒と、空気熱交換器２４から出る低圧低温の冷媒との間で熱交換を行うため、液ガス熱交換器２６が配置されている。具体的には、水熱交換器２２と膨張弁２３とを連結する冷媒通路と、空気熱交換器２４と圧縮機２１とを連結する冷媒通路との間で熱交換が行われる。
【００４３】
タンクユニット１０３は、タンク３１、水熱交換器２２内の水管２２ｂ及び水循環ポンプ３２が、水循環配管３５によって環状に接続された水循環回路３０を有する。制御装置４は、熱源ユニット１０２とタンクユニット１０３を運転制御する。
【００４４】
図４は本実施形態に係る熱源ユニットを備えた給湯機の斜視図であり、図５は本実施形態に係る熱源ユニットを備えた給湯機の縦断面図であり、図６は、本実施形態に係る熱源ユニットを備えた給湯機の平面図である。図４、図５おいて、タンクユニット１０３は、第２ケーシング２１０に覆われている。第２ケーシング２１０の第１側面２１７は、ケーシング１１０の第２側面１１７にほぼ密着するように配置されている。
【００４５】
先に、熱源ユニット１０２の内部構造について説明する。図６において、ケーシング１１０内では、空気熱交換器２４及びプロペラファン２９が、吹出口１１３ａ、プロペラファン２９、空気熱交換器２４、第２側面１１７という順で並ぶように配置されている。開口１１７ａは第２ケーシング２１０の第１側面２１７で覆われるので、吸込口１１１ａから吸い込まれた空気が外気取り入れ空間１１０ａを経て空気熱交換器２４を通過する。
【００４６】
空気熱交換器２４の一端には、第２空気熱交換器１２４が接続されている。この第２空気熱交換器１２４は吸込口１１１ａに沿うように配置されているので、空気熱交換器２４と第２空気熱交換器１２４とによって１つのＬ字形空気熱交換器が形成されている。なお、図６では、空気熱交換器２４の一端に第２空気熱交換器１２４を接続しているが、代替として、１つの空気熱交換器をＬ字形に成形したものを配置することも可能である。
【００４７】
次に、タンクユニット１０３の内部構造について説明する。図５、図６において、第２ケーシング２１０の内部では、大部分の空間をタンク３１が占有している。第１側面２１７と反対側にある第２側面２１４とタンク３１との間に制御ボックスが配置される。第２側面２１４には、作業用開口２１４ａが設けられており、主に、作業者が据付時の配管・配線等の接続作業をするとき、或は作業者がタンク３１の周辺にある配管、弁、センサ及び制御ボックスをメンテナンスするときに使用される。
【００４８】
（熱源ユニットとタンクユニットとの連結）
図４に示すように、作業者は、熱源ユニット１０２とタンクユニット１０３と並べて据付けるとき、ケーシング１１０と第２ケーシング２１０とが分離しないように、ケーシング１１０及び第２ケーシング２１０の天面側に分離防止用の連結板１０６を取り付ける。連結板１０６は、断面がＬ字形の板金部材であり、水平部が、ケーシング１１０及び第２ケーシング２１０の天面にネジ締結される。したがって、ケーシング１１０の天面と第２ケーシング２１０の天面とが離れることはない。また、この連結板１０６は、垂直部に設けられた穴を使用して家屋外壁にボルトで固定する事で転倒防止金具としての機能も併せ持っている。
【００４９】
また、作業者は、ケーシング１１０と第２ケーシング２１０とが分離しないように、ケーシング１１０及び第２ケーシング２１０の下部に分離防止用の板金部材を取り付けて、互いに引っ掛かり合わせている。
【００５０】
図７は、ケーシング及び第２ケーシングの対向する側面の下方を示す斜視図であり、図７において、板金部材１０７は、第２側面１１７の幅と同程度の幅寸法であり、第２側面１１７の下端に密着する固定部１０７ａと、第２側面１１７の下端からさらに下方へ突出する連結部１０７ｂとからなり、連結部１０７ｂの両端それぞれから一定距離を隔てた位置に連結孔１０７ｃが形成されている。連結孔１０７ｃは、下方に開いた切り欠き１０７ｄを有している。
【００５１】
また、第２ケーシング２１０の第１側面２１７の下端には、板金部材２０７が固定されている。板金部材２０７は、第１側面２１７の幅と同程度の幅寸法であり、第１側面２１７の下端に密着する固定部２０７ａと、第１側面２１７の下端からさらに下方へ突出する連結部２０７ｂとからなり、連結部２０７ｂの両端それぞれから一定距離を隔てた位置に溝付きで柱状の突起２０７ｃが形成されている。
【００５２】
作業者は、ケーシング１１０の第２側面１１７と第２ケーシング２１０の第１側面２１７とを対向させて設置するときに、突起２０７ｃが、切り欠き１０７ｄを介して連結孔１０７ｃに挿入され、連結孔１０７ｃのエッジが突起２０７ｃの溝に嵌まり込む。これによって、ケーシング１１０の第２側面１１７下部と第２ケーシング２１０の第１側面２１７下部とが連結される。
【００５３】
（変形例）
上記実施形態では、開口１１７ａは第２ケーシング２１０の第１側面２１７で覆われているが、それに限定されるものではない。図８は、図４の熱源ユニットを９０°回転させた給湯機の斜視図である。図８に示すように、吸込口１１１ａを、給湯機１０１の長手方向外側へ向けることができる。給湯機１０１の設置場所が広いとき、熱源ユニット１０２は図８に示す姿勢で取り付けられる。一方、給湯機１０１の設置場所が細長く狭いときは、熱源ユニット１０２は、図４に示す姿勢で取り付けられ、吹出口１１３ａの前方空間の確保が優先される。
【００５４】
なお、熱源ユニット１０２とタンクユニット１０３とは、必ずしも連結されている必要はなく、設置場所の状況に応じて、分離して設置してもよい。
【００５５】
＜空気調和機への応用＞
（空気調和機の構成）
図９は、本発明の実施形態に係る熱源ユニットを備えた空気調和機の概略構成図である。図９において。空気調和機３０１は、熱源ユニット３０２に対して室内ユニット３０３が並列に接続され、冷媒が流通できるように、冷媒回路が形成されている。
【００５６】
圧縮機３２１、四路切換弁３２２、室外膨張弁３２３及び室外熱交換器３２４は熱源ユニット３０２に含まれており、室内膨張弁３１５および室内熱交換器３１６は室内ユニット３０３に含まれている。また、四路切換弁３２２と室内熱交換器３１６との間はガス側冷媒連絡配管３１８により接続され、室外膨張弁３２３と室内膨張弁３１５との間は液側冷媒連絡配管３１９により接続される。
【００５７】
熱源ユニット３０２は、図１で示したケーシング１１０と同様のケーシングに覆われ、内部には、図５で示したプロペラファン２９と同様のプロペラファンを備えている。そして、ケーシング１１０内では、室外熱交換器３２４及びプロペラファン２９が、吹出口１１３ａ、プロペラファン２９、室外熱交換器３２４、第２側面１１７という順で並ぶように配置されている。室外熱交換器３２４は吸込口１１１ａ及び開口１１７ａに沿うように配置されている。
【００５８】
＜特徴＞
（１）
熱源ユニット１０２では、縦長の略正四角柱であるケーシング１１０の内部には、圧縮機２１、膨張弁２３及び空気熱交換器２４が、鉛直方向に積まれるように収納されている。ケーシング１１０は、排気用の吹出口１１３ａが形成されている第１側面１１３と、第１側面１１３と所定距離を隔てて向かい合う第２側面１１７と、第１側面１１３と隣接し吸気用の吸込口１１１ａが形成された正面１１１とを有している。ケーシング１１０の内部では、吹出口１１３ａ、プロペラファン２９、空気熱交換器２４、第２側面１１７という順で並んでいる。空気熱交換器２４と第２側面１１７との間には、吸込口１１１ａから吸い込まれる空気を空気熱交換器２４に導く外気取り入れ空間１１０ａが設けられているので、プロペラファン２９の上流には外気取り入れ空間１１０ａが確保され、吹出口１１３ａの前面には排気を妨げない空間が確保されるので、静圧不足が解消される。
【００５９】
（２）
給湯機１０１は、熱源ユニット１０２と、その熱源ユニット１０２で加熱された水を貯えるタンク３１とを備えており、作業者が、熱源ユニット１０２の据付方向を設置空間の形状に合うように設定することができるので、狭い空間であっても、空気の吹き出しを妨げない方向が選択され、空気熱交換器２４の熱交換量の低下が防止される。また、熱源ユニット１０２とタンクユニット１０３との分離が可能であり、作業者が、熱源ユニット１０２及びタンクユニット１０３それぞれの据付けに適した場所を選択することができる。
【００６０】
（３）
給湯機１０１では、万一、熱源ユニット１０２の冷凍サイクル部が故障した場合、熱源ユニット１０２だけの交換が可能である。その結果、タンクユニット１０３を含めた全てを交換する必要が無く、熱源ユニット１０２だけを交換し持ち帰って修理することができるので、熱源ユニット及びタンクユニットが１つのケーシングに収納されている一体型と比較してメンテナンス性に優れている。同様に、万一、タンクユニット１０３が故障した場合、タンクユニット１０３だけの交換が可能であり、タンクユニット１０３だけを交換し持ち帰って修理することができる。
【００６１】
（４）
空気調和機３０１は、熱源ユニット３０２を室外機として備えており、熱源ユニット３０２の設置空間の幅寸法が、第１側面１１３の幅寸法より少し大きい程度の細長い空間の場合、吹出口１１３ａを設置空間の長手方向に向けて据付けることによって、空気の吹き出しを妨げない空間が確保される。その結果、室外熱交換器３２４の熱交換量の低下が防止される。
【００６２】
＜その他の実施形態＞
熱源ユニット１０２は、図２に示すように第２側板１１７に開口１１７ａを有しているが、これに限定されるものではなく、開口１１７ａが無くてもよい。例えば、図１０は、他の実施形態に係る熱源ユニットの斜視図であるが、図１０において、熱源ユニット４０２は、ケーシング１１０の第２側面１１７に、開口が設けられていないこと以外は、図２で示した熱源ユニット１０２と同様である。熱源ユニット４０２は、単独で室外に設置される場合、空気熱交換器２４が外部へむき出しにならないので、人の手が触れて手が傷つくこと、或は人の手が空気熱交換器２４を損傷させるようなことが防止される。
【産業上の利用可能性】
【００６３】
以上のように、本発明に係る熱源ユニットは、給湯機及び空気調和機に有用である。
【図面の簡単な説明】
【００６４】
【図１】本発明の一実施形態に係る熱源ユニットの斜視図。
【図２】図１のＢ方向から視た熱源ユニットの斜視図。
【図３】本実施形態に係る熱源ユニットを備えた給湯機の概略構成図。
【図４】本実施形態に係る熱源ユニットを備えた給湯機の斜視図。
【図５】本実施形態に係る熱源ユニットを備えた給湯機の縦断面図。
【図６】本実施形態に係る熱源ユニットを備えた給湯機の平面図。
【図７】ケーシング及び第２ケーシングの対向する側面の下方を示す斜視図。
【図８】図４のケーシングを９０°回転させた給湯機の斜視図。
【図９】本発明の実施形態に係る熱源ユニットを備えた空気調和機の概略構成図。
【図１０】他の実施形態に係る熱源ユニットの斜視図。
【符号の説明】
【００６５】
２１，３２１  圧縮機
２２  水熱交換器
２３  膨張弁
２４  空気熱交換器
２９  プロペラファン
１０１  給湯機
１０２，３０２，４０２  熱源ユニット
１１０  ケーシング
１１１  正面
１１１ａ  吸込口
１１３  第１側面
１１３ａ  吹出口
１１７  第２側面
３０１  空気調和機
３２４  室外熱交換器
【図１】
2009198121.tif 000003
【図２】
2009198121.tif 000004
【図３】
2009198121.tif 000005
【図４】
2009198121.tif 000006
【図５】
2009198121.tif 000007
【図６】
2009198121.tif 000008
【図７】
2009198121.tif 000009
【図８】
2009198121.tif 000010
【図９】
2009198121.tif 000011
【図１０】
2009198121.tif 000012